(57)【要約】      （修正有）【課題】不感帯領域を有する接触検知手段において不感帯領域近傍で意図した操作を行うことのできるレンズ鏡筒およびカメラシステムを提供する。【解決手段】レンズ鏡筒１１において、レンズ鏡筒内駆動手段と、指の接触、移動を検知する１個もしくは複数の接触検知手段がレンズ鏡筒１１周上に配置され、接触検知手段の第一の端部１０４ｂと不感帯領域１０４ａを持つ第二の端部１０４ｃがレンズ鏡筒周上に存在するとき、レンズ鏡筒内駆動手段を制御する制御手段によって、第一の端部１０４ｂにおいて接触が検知された第一の接触領域と第二の端部１０４ｃにおいて接触が検知された第二の接触領域が不感帯領域１０４ａを挟んで一部でもレンズ鏡筒１１の中心軸方向においてほぼ同位置に有るのであれば、第一の接触領域と第二の接触領域を一つの接触領域として制御可能であることを特徴とする。【選択図】図２
2018194753.tif 000002
【特許請求の範囲】
【請求項１】
１枚もしくは複数のレンズを有するレンズ鏡筒において、
前記レンズ鏡筒はレンズ駆動や絞りや防振装置のレンズ鏡筒内駆動手段と、
指の接触、移動を検知する１個もしくは複数の接触検知手段を有し、
前記接触検知手段が前記レンズ鏡筒周上に配置され、
前記接触検知手段の第一の端部と離間部を持つ第二の端部が前記レンズ鏡筒周上に存在するとき、
前記接触検知手段の検知した操作で前記レンズ鏡筒内駆動手段を制御する制御手段によって、
前記第一の端部において接触が検知された第一の接触領域と前記第二の端部において接触が検知された第二の接触領域が前記離間部を挟んで一部でも前記レンズ鏡筒の中心軸方向においてほぼ同位置に有るのであれば、
前記第一の接触領域と前記第二の接触領域を一つの接触領域として制御可能であることを特徴とするレンズ鏡筒。
【請求項２】
前記制御手段は前記第一の接触領域と前記第二の接触領域のどちらか一方の接触を用いて制御することで前記一つの接触領域として制御可能であることを特徴とする請求項１に記載のレンズ鏡筒。
【請求項３】
前記制御手段は前記離間部を基準にして操作方向にある前記第一の接触領域もしくは前記第二の接触領域を用いて制御することを特徴とする請求項１又は請求項２に記載のレンズ鏡筒。
【請求項４】
前記制御手段は前記第一の接触領域と前記第二の接触領域の接触面積の大きい領域の操作を用いて制御することを特徴とする請求項１乃至請求項３の何れか一項に記載のレンズ鏡筒。
【請求項５】
前記制御手段は前記第一の接触領域と前記第二の接触領域の操作速度の速い領域の操作を用いて制御することを特徴とする請求項１乃至請求項４の何れか一項に記載のレンズ鏡筒。
【請求項６】
前記制御手段は前記第一の接触領域と前記第二の接触領域から制御点を求めて前記一つの接触領域として制御可能であることを特徴とする請求項１に記載のレンズ鏡筒。
【請求項７】
前記制御手段は前記第一の接触領域と前記第二の接触領域の操作方向が円周上に同一の向きのときに前記第一の接触領域と前記第二の接触領域を一つの接触領域として制御することを特徴とする請求項１乃至請求項６の何れか一項に記載のレンズ鏡筒。
【請求項８】
請求項１乃至請求項７の何れか一項に記載のレンズ鏡筒を有するカメラシステム。
【発明の詳細な説明】
【技術分野】
【０００１】
本発明は、レンズ鏡筒およびカメラシステムに関し、レンズ鏡筒上に接触検知手段を有するレンズ鏡筒およびカメラシステムに関する。
【背景技術】
【０００２】
近年、タッチパネルを搭載した電子機器が増えてきている。タッチパネルを搭載することで画面内の表示を直接操作でき、その操作に合わせて表示を変更できるので直観的な操作を可能とするためである。しかし、タッチパネルを操作するうえで意図せず操作部を触れてしまうことがある。そのため、意図せずタッチパネルに触れたことによる誤動作を防ぐ工夫が様々になされている。
【０００３】
特許文献１では、タッチパネルの端部における指の移動速度が一定以上のときは操作を行っているとみなすが、それ以下の場合は操作を行っていないとみなす。それにより実際に操作しているか、保持等の目的でタッチパネルに指が触れているかの判断を可能にして誤動作を防止している。
【０００４】
また、タッチセンサを交換レンズに設ける例も知られている。特許文献２では、交換レンズにおいて全面に円筒状のタッチセンサもしくはタッチパネルを設け、指を接触させて周方向に移動することでレンズの操作を行っている。これにより、メカニカルな構成を外部に設けないことで防水性、防塵性を向上させている。
【先行技術文献】
【特許文献】
【０００５】
【特許文献１】特願２０１３−０４１６２９号公報
【特許文献２】特開２０１２−２１５６３２号公報
【発明の概要】
【発明が解決しようとする課題】
【０００６】
交換レンズにタッチパネルを設けるとき、周方向の指の移動速度を検知してズーム等の操作を行うと従来の操作リングと操作感が似ているため操作者にとって容易に使い方が理解でき有用である。
【０００７】
しかし、特許文献２に示されるように円筒状のタッチパネルの製作は困難である。そのため、タッチパネルをレンズ鏡筒周上に複数取り付けることが考えられるが、その場合隣接するタッチパネルの間に継ぎ目ができ、タッチ操作に反応しない不感帯領域が生じてしまう。
【０００８】
不感帯領域を有するレンズにおいて、指の摺動によってレンズを駆動している場合には、摺動させている指が不感帯領域に差し掛かると接触していないと判断してしまう。そのため、摺動させている指が不感帯領域を跨いでタッチパネルの両端に触れると、２カ所に接触をしていると認識し意図しない挙動を示す可能性がある。
【０００９】
このとき、特許文献１では平面における１枚のタッチパネルの端部における誤動作を防ぐものであり、不感帯領域に隣接する両端部に指が差しかかったときの誤動打を防ぐ制御ではない。
【００１０】
また、特許文献１のように端部における指の移動速度で端部における操作の有無を判断する方法では、上記のように不感帯領域に指が差し
そこで、本発明の目的は、レンズ鏡筒周上に取り付けられた不感帯領域を有する接触検知手段において、不感帯領域近傍で意図した操作が可能なレンズ鏡筒およびカメラシステムを提供することにある。
【課題を解決するための手段】
【００１１】
上記の目的を達成するために、本発明に係るレンズ鏡筒は、
１枚もしくは複数のレンズを有するレンズ鏡筒において、前記レンズ鏡筒はレンズ駆動や絞りや防振装置などのレンズ鏡筒内駆動手段と、指の接触、移動を検知する１個もしくは複数の接触検知手段を有し、前記接触検知手段が前記レンズ鏡筒周上に配置され、前記接触検知手段の第一の端部と離間部を持つ第二の端部が前記レンズ鏡筒周上に存在するとき、前記接触検知手段の検知した操作で前記レンズ鏡筒内駆動手段を制御する制御手段によって、前記第一の端部において接触が検知された第一の接触領域と前記第二の端部において接触が検知された第二の接触領域が前記離間部を挟んで一部でも前記レンズ鏡筒の中心軸方向においてほぼ同位置に有るのであれば、前記第一の接触領域と前記第二の接触領域を一つの接触領域として制御可能であることを特徴とする。
【発明の効果】
【００１２】
本発明によれば、レンズ鏡筒周上に取り付けられた不感帯領域を有する接触検知手段において、不感帯領域近傍で意図した操作が可能なレンズ鏡筒およびカメラシステムを提供することができる。
【図面の簡単な説明】
【００１３】
【図１】本発明の実施形態にかかわる模式図である。
【図２】実施例におけるレンズ鏡筒としての交換レンズである。
【図３】実施例の交換レンズをカメラに接続させ表示をさせたものである。
【図４】実施例における接触領域とタッチパネルの端部と不感帯領域の説明図である。
【図５】実施例１における不感帯領域の両端で接触が検知されたときの制御図である。
【図６】実施例２における接触領域とタッチパネルの端部と不感帯領域の説明図である。
【発明を実施するための形態】
【００１４】
以下に、本発明の好ましい実施の形態を、添付の図面に基づいて詳細に説明する。
【００１５】
図１は、本発明の実施形態にかかわる模式図である。
【００１６】
カメラシステム０は、レンズ鏡筒１、カメラボディ２を有している。レンズ鏡筒１には、１枚もしくは複数のレンズ０１とレンズ０１を駆動するレンズ駆動手段０２、レンズ側МＰＵ（マイクロプロセシングユニット）０３、接触検知手段０４、絞り０５、光学防振装置０６、レンズ側端子０７が設けられている。このとき、接触検知手段０４はレンズ鏡筒１の外周に設けられ、指の接触、非接触、移動を検知しその信号をレンズ側МＰＵ０３に伝える。そして、その信号をもとにレンズ側МＰＵ０３は制御手段としてレンズ鏡筒内駆動手段としてのレンズ駆動手段０２、絞り０５、光学防振装置０６を制御する。
【００１７】
カメラボディ２にはカメラ側端子０８、撮像素子０９、カメラ側ＭＰＵ１０が設けられている。レンズ０１、絞り０５、光学防振装置０６により得られる画像を撮像素子０９により得ることができる。また、カメラ側端子０８はレンズ側端子０７と接続されており、カメラ側ＭＰＵ１０はカメラ側端子０８を通してレンズ側МＰＵと通信可能になっている。
【００１８】
レンズ側駆動手段の制御手段としてカメラ側МＰＵ１０を用いてもよい。その場合、接触検知手段０４の信号はレンズ側端子０７、カメラ側端子０８を通してカメラ側МＰＵ１０に伝えられる。カメラ側МＰＵはその信号をもとに制御信号を出し、カメラ側端子０８、レンズ側端子０７を通してレンズ駆動手段０２等のレンズ鏡筒内駆動手段に伝達される。伝達経路としてレンズ側МＰＵ０３を通してレンズ駆動手段０２に信号を送る構成でなくてもいいことは言うまでもない。
【００１９】
また図１のカメラシステム０ではレンズ側端子０７、カメラ側端子０８を設けているが、特別な接続素子で接続されている必要がなく、例えば一体型のカメラでも良いことは言うまでもない。レンズ鏡筒１に絞り０５、光学防振装置０６が設けられていても設けられていなくても良いことは言うまでもない。
【００２０】
次に本発明を可能とする実施形態について述べる。
【実施例１】
【００２１】
以下、本発明の第１の実施例について説明する。
【００２２】
図２は実施例におけるレンズ鏡筒としての交換レンズ１１を示している。外形は図に示す通り、カメラとの接続部としてマウント１１ｂと接触検知手段としてのタッチパネル１０４を有している。タッチパネル１０４は弧形状で、交換レンズ１１の外径のほぼ一周に設けられている。このとき、タッチパネルのつなぎ目となり接触検知できない領域を不感帯領域１０４ａとする。タッチパネル１０４上の不感帯領域１０４ａ近傍の領域をそれぞれ第一の端部１０４ｂ、第二の端部１０４ｃとする。
【００２３】
図示はしていないが、交換レンズ１１の内部には駆動レンズとしてフォーカスの位置を調整するフォーカスレンズ１０１、レンズ側駆動手段としてステッピングモータ１０２を有している。また、タッチパネル１０４から得られる操作情報を処理するレンズ側ＭＰＵ１０３を有している。内部の詳細な構造については公知のものを用いればよく詳細は省略する。
【００２４】
図３は交換レンズ１１をカメラボディ１２に接続させ、タッチパネル１０４に表示をさせたものである。フォーカス操作領域１０４ｐはフォーカス位置の操作を、防振切り替え領域１０４ｑは防振機能の操作を、フォーカス切り替え領域１０４ｒはオートフォーカス、マニュアルフォーカスの切り替え操作を可能とする領域である。
【００２５】
防振切り替え領域１０４ｑは防振機能のＯＮ、ＯＦＦを、フォーカス切り替え領域１０４ｒはオートフォーカス、マニュアルフォーカスをそれぞれ防振切り替え領域１０４ｑ、防振切り替え領域１０４ｒに表示してあるボタンを指でタッチすることで切り替え可能になっている。また、防振切り替え領域１０４ｑ、防振切り替え領域１０４ｒに表示されているボタンを指でタッチすることでそれぞれ防振切り替え領域１０４ｑ、防振切り替え領域１０４ｒのボタンの色を変更し防振機能やフォーカスの設定を知ることが可能となる。このとき機能変更としては防振機能やフォーカス設定に限らず、表示の変更に関しても色の変更のほかに文字の表示を変更するなど異なる制御を行っても良いことは言うまでもない。
【００２６】
フォーカス操作領域１０４ｐは交換レンズ１１の外周上に設けられており、縞状の模様が表示されている。フォーカス操作領域１０４ｐを円周方向に指をスライドさせることで、スライドの方向とスライド速度からフォーカスレンズ１０１を駆動可能としている。
【００２７】
フォーカス操作領域１０４ｐの指の円周方向へのスライド方向でフォーカスレンズ１０１を至近側に合うように駆動させるか、無限側に合わせるように駆動させるかの判断を行う。また、その時点における指のスライド速度に基づいて、フォーカスレンズ１０１の駆動速度を調節することができる。
【００２８】
図４を用いてフォーカス操作領域１０４ｐ部の第一の端部１０４ｂ、第二の端部１０４ｃにおいて接触検知された場合の制御を述べる。
【００２９】
第一の端部１０４ｂ上に接触領域Ｔ１を定める。また、第二の端部１０４ｃ上の接触領域Ｔ１とレンズ中心軸方向においてほぼ同程度の場所に接触領域Ｔ２を定める。そして、第二の端部１０４ｃ上の接触領域Ｔ１とレンズ中心軸方向において離れた場所に接触領域Ｔ３を定める。
【００３０】
接触領域Ｔ１と接触領域Ｔ２で接触が検知された場合にはどちらか一方の操作を用いて制御を行うことで一つの接触領域として制御を行う。このとき接触領域Ｔ２の一部が接触領域Ｔ１とレンズ中心軸方向においてほぼ同位置にある場合でも良い。接触領域Ｔ１と接触領域Ｔ３で接触が検知された場合は、複数箇所接触されているものとして通常の制御を行う。この制御を行うことで一つの指が不感帯領域１０４ａ、第一の端部１０４ｂ、第二の端部１０４ｃと接触して操作しているときに二つの信号により制御が乱れることを防止することができる。
【００３１】
図５は接触領域Ｔ１と接触領域Ｔ２において接触が検知されているときの制御図を示している。
【００３２】
ＳＴＥＰ１として接触領域Ｔ１と接触領域Ｔ２において両方に操作（摺動）が検知されているか判断する。ＳＴＥＰ１で操作されていないと判断されればＳＴＥＰ２に進む。ＳＴＥＰ１で操作されているのであればＳＴＥＰ３に進む。
【００３３】
ＳＴＥＰ２では接触領域Ｔ１の接触面積Ｓ１は接触領域Ｔ２の接触面積Ｓ２よりも大きいか判断する。ＳＴＥＰ２で接触面積Ｓ１が大きいと判断されれば、ＳＴＥＰ６として接触領域Ｔ１を用いた操作を用いた制御を行う。ＳＴＥＰ２で接触面積Ｓ１が大きいと判断されなければ、ＳＴＥＰ７として接触領域Ｔ２を用いた操作を用いた制御を行う。接触面先の小さいところでは誤検知の影響を受けやすく、触れかたによっては接触したり離れたりを繰り返すため信号として安定しない可能性がある。しかし、こうすることで接触面積が小さく接触の検知が不安定なときに誤動作が起こるのを防ぐことができる。
【００３４】
ＳＴＥＰ３として接触領域Ｔ１と接触領域Ｔ２において同じ方向に操作されているか判断する。ＳＴＥＰ３で同じ方向に操作されているのであればＳＴＥＰ４に進む。ＳＴＥＰ３で同じ方向に操作されていないと判断されればＳＴＥＰ５に進む。
【００３５】
ＳＴＥＰ４では接触領域Ｔ１が不感帯領域１０４ａを基準として操作方向にあるか判断する。ＳＴＥＰ４で接触領域Ｔ１が操作方向にあると判断されれば、ＳＴＥＰ６として接触領域Ｔ１を用いた操作を用いた制御を行う。ＳＴＥＰ２で接触領域Ｔ１が操作方向にないと判断されれば、ＳＴＥＰ７として接触領域Ｔ２を用いた操作を用いた制御を行う。この制御を行うことで操作方向上に必ず指が存在するため、制御を行っていた領域から指が離れることが無くなり不感帯領域１０４ａを跨ぐ操作を行ったときもスムーズに制御を行うことができる。
【００３６】
ＳＴＥＰ５では接触領域Ｔ１の操作速度Ｖ１は接触領域Ｔ２の操作速度Ｖ２よりも速いか判断する。ＳＴＥＰ５で操作速度Ｖ１が速いと判断されれば、ＳＴＥＰ６として接触領域Ｔ１を用いた操作を用いた制御  を行う。ＳＴＥＰ５で操作速度Ｖ１が速いと判断されなければ、ＳＴＥＰ７として接触領域Ｔ２を用いた操作を用いた制御を行う。こうすることで固定のための接触と操作を行う意図での接触を判断することができより快適に操作を行うことができる。
【００３７】
本制御により交換レンズ１１の周上にあるタッチパネル１０４において次のようなことが可能となる。レンズ０１の中心軸方向にほぼ同位置にある第一の端部１０４ｂ、第二の端部１０４ｃに接触を検知したときに、一方のみを用いることで一つの接触領域として判断し操作を行うことで可能となる。指が不感帯領域１０４ａを跨いで第一の端部１０４ｂ、第二の端部１０４ｃに触れている場合レンズ０１の中心軸方向においてほぼ同位置に接触を検知される。そのため、不感帯領域１０４ａを跨いで第一の端部１０４ｂ、第二の端部１０４ｃに触れている場合にも一つの接触領域として制御可能となり、意図した操作を行うことが可能となる。
【実施例２】
【００３８】
実施例２では実施例１の構成をした交換レンズ１１に対して、図２の第一の端部１０４ｂ部、第二の端部１０４ｃ部において他の領域１０４ａとは異なる制御を行う。
【００３９】
図６は実施例２における制御を説明するために不感帯領域１０４ａ、第一の端部１０４ｂ、第二の端部１０４ｃを拡大して示した図である。
【００４０】
このとき、第一の端部１０４ｂ上に接触領域Ｔ４を定める。また、第二の端部１０４ｃ上の接触領域Ｔ４とレンズ中心軸方向においてほぼ同程度の場所に接触領域Ｔ５を定める。点Ｔ４ｌ、点Ｔ４ｒはそれぞれ接触領域Ｔ４と不感帯領域１０４ａとの接線の左端、右端を示している。また、点Ｔ５ｌ、点Ｔ５ｒはそれぞれ接触領域Ｔ５と不感帯領域１０４ａとの接線の左端、右端を示している。このとき点Ｔ４ｌと点Ｔ５ｌを結ぶ線を補間線Ｌ１とし、点Ｔ４ｒと点Ｔ５ｒを結ぶ線を補間線Ｌ２とする。
【００４１】
このとき接触領域Ｔ４と接触領域Ｔ５と補間線Ｌ１と補間線Ｌ２で囲まれた領域からなる図形の重心を制御点ｃとする。このとき制御点ｃの移動をからフォーカスレンズ１０１の移動方向、移動距離等を制御することとする。
【００４２】
本制御により交換レンズ１１の周上にあるタッチパネル１０４において次のようなことが可能となる。レンズ０１の中心軸方向にほぼ同位置にある第一の端部１０４ｂ、第二の端部１０４ｃに接触を検知したときに、二つの接触領域の間を補完することで一つの接触領域として判断し操作を行うことで可能となる。指が不感帯領域１０４ａを跨いで第一の端部１０４ｂ、第二の端部１０４ｃに触れている場合レンズ０１の中心軸方向においてほぼ同位置に接触を検知される。そのため、不感帯領域１０４ａを跨いで第一の端部１０４ｂ、第二の端部１０４ｃに触れている場合にも一つの接触領域として制御可能となり、意図した操作を行うことが可能となる。
【００４３】
また、タッチパネル１０４全域において接触領域の重心を制御点としている場合においては不感帯領域を跨いで操作を行っている場合でも同等の感覚で操作をすることができ特に快適な操作を行うことができる。
【００４４】
実施例ではタッチパネルを設けたがタッチセンサでもいいことは言うまでもない。タッチパネルを一つで構成したため不感帯領域は一つであったが、複数のタッチパネルを配置し、複数の不感帯領域を設けても良いことは言うまでもない。また、タッチパネルが配置されている領域が、レンズ鏡筒全周ではなく一部に巻き付けられている構成でもよい。
【００４５】
実施例ではレンズ側駆動手段としてフォーカスレンズを制御したが、ズームレンズ、絞り、光学防振装置の駆動に適用してもいいことは言うまでもない。このとき、絞りを制御する場合には開口径の大きさを制御するのに、光学防振装置を制御する場合には防振レベルを制御するのに適用可能である。
【００４６】
実施例においてタッチパネルの端部にのみ接触領域が検知されている例を挙げたが、接触領域が端部以外の部分に広がっていてもいいことは言うまでもない。また、その場合は端部以外も含む接触領域の全体から実施例２における制御点を求めてもいいことは言うまでもない。
【００４７】
実施例において端部における速度を求める際に接触域の重心を用いてもいいし不感帯領域と逆側の接触領域の端部を用いても良いことは言うまでもない。
【００４８】
実施例１において各々の接触の操作状況から制御を行う接触領域の選定を行ったが、操作状況と接触領域の選定方法の組み合わせ、また選定方法はこの限りではない。また、それぞれの操作状況において同じ選定方法を用いても良いことは言うまでもない。
【００４９】
実施例１の図５の制御図において端部に異なる方向の操作を検出したとき操作速度の速い方の制御を行うとしたが、異なる方向の操作で別の制御を行っても良いことは言うまでもない。例えば指の近づける方向か遠ざける方向かを判断して無限にピントを合わせるか至近にピントを合わせるかを判断し制御を行ってもいいことは言うまでもない。
【００５０】
実施例２において不感帯領域の補間線は直線に限らず不感帯領域近傍の接触領域の形状から予測をしてもいいことは言うまでもない。また、補間線と接触領域から描かれた図形から任意の二軸を選択しその図形との接線から求まる中心線の交点を制御点としてもいいことは言うまでもない。
【００５１】
以上、本発明の好ましい実施形態について説明したが、本発明はこれらの実施形態に限定されず、その要旨の範囲内で種々の変形及び変更が可能である。
【００５２】
本発明は、レンズ鏡筒およびカメラシステムに関し、特に接触検知手段と表示手段を有するレンズ鏡筒およびカメラシステムに有用である。
【符号の説明】
【００５３】
０  カメラシステム、１  レンズ鏡筒、２  カメラボディ、０１  レンズ、
０２  レンズ駆動手段（レンズ鏡筒内駆動手段）、０３  レンズ側ＭＰＵ、
０４  接触検知手段、０５  絞り（レンズ鏡筒内駆動手段）、
０６  光学防振装置（レンズ鏡筒内駆動手段）、０７  レンズ側端子、
０８  カメラ側端子、０９  撮像素子、１０  カメラ側ＭＰＵ、
１１  交換レンズ（実施例におけるレンズ鏡筒）、１２  カメラボディ、
１１ｂ  レンズ側マウント、１０４  タッチパネル（実施例における接触検知手段）、
１０４ａ  不感帯領域、１０４ｂ  第一の端部、１０４ｃ  第二の端部、
１０４ｐ  フォーカス操作領域、Ｔ１  実施例１における第一の接触領域、
Ｔ２  実施例１における第二の接触領域、Ｔ４  実施例２における第一の接触領域、
Ｔ５  実施例２における第二の接触領域、ｃ  制御点
【図１】
2018194753.tif 000003
【図２】
2018194753.tif 000004
【図３】
2018194753.tif 000005
【図４】
2018194753.tif 000006
【図５】
2018194753.tif 000007
【図６】
2018194753.tif 000008